(57)【要約】【課題】  バス乗車時に高齢者割引料金のコインを定期券を運転士に掲示した後即座に同時にコインを片手操作で支払える定期券入れにする事。【解決の手段】  表板１と裏板２の２枚のシート状の合成樹脂或いは合成皮等で成る定期券サイズ対応の矩形体で、一辺の開口部３除いて、他の三辺の端縁部４が、縫着或いは接着か熱溶着等で封印したケース体の定期券入れにおいて、裏板２の表面で長手方向にコインＡが一列に並び、出し入れ自在で成る出入れ口５を持つコイン収納部６を一体化し、これらの並列するコインＡの片面に触れる為の、指の入る程度のスリット６ａをコイン収納部６の表面に設け、片手使いでケース体開口部３から差し込まれた定期券Ｂを乗車時に運転士に掲示し、其のまま裏返しで、コイン収納部６から片手操作でコインＡを指先の押出しＰで支払い可能な構成にする。【選択図】図１
2008212614.tif 000002
【特許請求の範囲】
【請求項１】
表板（１）と裏板（２）の２枚のシート状の合成樹脂材或いは合成皮材等で成る定期券サイズ対応の矩形体で、一辺の開口部（３）を除いて他の三辺の端縁部（４）が縫着、接着、溶着等で封印したケース体の定期券入れにおいて、裏板（２）の表面で長手方向にコイン（Ａ）が一列に並び出し入れ自在で成る出入れ口（５）を持つコイン収納部（６）を一体化し、これらの並列するコイン（Ａ）の片面が指の入る程度のスリット（６ａ）を設け、片手使いでケース体開口部（３）に差し込まれた定期券（Ｂ）を乗車時に運転士に掲示し、其のまま裏返しで、コイン収納部（６）から片手操作でコイン（Ａ）を指先で押出し（Ｐ）支払い可能にした事を特徴とする、コイン収納部付定期券入れ。
【発明の詳細な説明】
【技術分野】
【０００１】  この発明は定期券入れに関し、詳しくは、バス乗車券の利用時に高齢者が利用する為に優遇される特別乗車証明書を使っての割引制度での１００円コイン料金使い或いは１１０円料金使い等での乗車に対応する為の通常定期券入れに、コイン収納部を一体化した定期券入れに関する。
【背景技術】
【０００２】  此の種の従来の技術として知られる定期券入れは、透明性の良い薄いプラスチック板で表板と裏板の２枚を使い、定期券サイズ対応の矩形体で、定期券の厚さに近似する隙間を表板と裏板との間に設定する為、一辺の開口部を除いた他の三辺に隙間に等しい厚さで巾の狭いプラスチック板を表板と裏板の間の三辺の端縁部に挟んで接着し、ケース体の定期券入れを構成している。【０００３】  これらの定期券入れのケース体の材質は、プラスチック材に限らず合成皮を使い片面にはケース体に定期券を入れたまま提示する為、透明性の良い薄いプラスチック板を使って表板に縫い合わせたケース体で構成し利用され、或いはケース体にストラップを付ける等して手持ちのバッグ等に吊るされて利用されている。【０００４】  また高齢者の使うバス定期券は乗車の際に運転士に見せ、例えば、地方の制度に依っては、乗車区間に関係無く一律均等での一般料金２００円の割引半額１００円料金乗車でのバス運行が多く、定期券を提示しながら、小銭入れからコインを取りだして支払か、或いは購入したバスカードを使う等の乗車が一般に行なわれている。
【発明の開示】
【発明が解決しようとする課題】
【０００５】  しかしながら上記する従来技術では、乗車時に定期券を運転士に掲示した他にコインを支払うのに、ポケット等にしまっている小銭入れからコインを取り出して事前に手に持って準備しない限り、乗車時に戸惑うばかりか、運行を乱す等の課題がある。【０００６】  そしてまた、片手に買い物袋を持ったり、雨降り時に傘などを持ったままでは、片手使いで定期券を掲示した後に定期券をしまってから、再度片手使いでポケットに手を入れる等してコインを取り出して支払わなければならない為、スムーズに流れに沿うつて乗車するのに難がある等の課題がある。
【課題を解決するための手段】
【０００７】  この発明はかかる課題を開決する為に、請求項１での発明は、図１で述べるように、表板１と裏板２とで成る２枚のシート状の薄いプラスチック板などの合成樹脂材或いは合成皮などの素材で、定期券サイズ対応の矩形体で、一辺の開口部３を除いて他の三辺の端縁部４を縫着又は接着や熱溶着等で封印したケース体の定期入れにおいて、裏板２の表面で長手方向にコインＡが一列に並べ、出し入れ自在でなる出入れ口５を持つコイン収納部６を一体化し、これらの並列するコインＡの片面に指の入る程度のスリット６ａをコイン収納部３の面に設け、片手使いでこれらのケース体に収納する定期券Ｂを乗車時に運転士に掲示し、同時に其のまま裏返しで、コイン収納部６から片手操作でコインＡを押出しＰてバス料金の支払いが出来る構成とする。
【発明の効果】
【０００８】  本発明は、上述の通り構成作用するので次ぎの優れた効果を奏する。即ち、第一実施例で述べるように、高齢者がバスに乗車する際に、割り引き料金の特別乗車証明書を運転士に掲示してコインを支払うのに、コイン収納部付定期券入れに具備するコイン入れに乗車に必要なコインを事前に差し込んで置き、特別乗車証明書と一緒に常に携帯出来るので、乗車時に戸惑う事なく、取り出した特別乗車証明書を運転士に提示し、そのおまま親指をコイン収納部に開口するスリットに差し込んでコインを押出して、料金の支払いをワンタッチで出来るコイン収納部付定期券入れを提供出来る。【０００９】  また両手を使わず片手で操作出来るので、片手で買い物袋や、小荷物を持つたまま或いは手すり等に片手を掴んだま、特別乗車証明書を掲示し、即座に料金を確実に支払う事の出来るコイン収納部付定期券入れを提供出来る。
【発明を実施するための最良の形態】
【００１０】  以下に図示の実施例に基づいて更に詳細に説明する。即ち図１は本発明での第一実施例に基づく一部断面での全体を示す斜視図で、図２は同じ第一実施例での使用例を示す一部断面での斜視図で、更には、図３は同じ第一実施例での他の形態での表面と裏面の斜視図で、これらを併用して説明する。【００１１】  表板１と裏板２の２枚のシート状の合成樹脂材或いは合成皮材等でなる定期券サイズ対応の矩形体で、定期券が出し入れ出来る表板１と裏板との双方の隙間で成り、其の一辺の開口部３を除いて他の三辺の端縁部４が固着されるが、双方の隙間は、その隙間に相当する厚みと巾の狭いシートＴを三辺にまたがり、夫々の端縁部４にはさみ込んで両面をはり合せることで、封印したケース体の定期券入れを構成するが、これらの合成樹脂材での表板１は透明性の良い合成樹脂材、例えばアクリルやペット樹脂などが使われ、収納した定期券が判読出来る構成であるが、素材はその限りでなく，様様選択される。【００１２】  そしてまた、図３で示すように、ケース体の素材を合成皮を使って構成する場合でも、収納した定期券が判読出来る透明性の良いシート状のアクリル樹脂等を使い、不透明な表板１に縫い合わせる等の工夫が行なわれ、着色された肌触りの良い合成皮等が選択され、裏板２との２枚の三辺が開口部３を除いて端縁部４を糸で縫製され封印される。【００１３】  このような表板１と裏板２とでなるケース体の定期券入れの裏板２の表面に矩形体の長手方向に向けて、コインＡが一列に数枚並び、スライドして出し入れ自在で成る出入れ口５を持つコイン収納部６を一体化し、これらの出入れ口５は両サイド、或いは片方のみのいずれでも良く、（図１）での実施例は両サイドで、（図２）では片方の実施例を示すが、これらの長手方向に一列並びのコインＡは、コインＡ面に指先で付加する押出しＰの力を受けて初めてスライド移動し、出し入れ口５から飛び出すスペースを持つ、コイン収納部６が望ましく、コインＡがスペース内で周囲の弾発力を受けながら定着する構成が良い。【００１４】  そして、コインＡが裏板２の表面で一体化するコイン収納部６に一列に差し込まれるが、これらの差し込まれたコインＡの片面が親指の入る程度のスリット６ａがコイン収納部６の片面に開口する事で、ケース体を握った手の親指を使い、コイン収納部６の片面のスリット６ａにのぞくコインＡが指先の押出しＰの力を受けて、出入れ口５からコインＡが飛び出す構成とするが、図３で述べる裏板２に設けたコイン収納部６は、裏板２にコインＡが収納出来る巾と厚みの溝を付け、それに底板２ａを設け、これらの溝を覆う一枚のスリット６ａ付の軟質のペット樹脂等のカバー２を裏板２にはり合わせる等の構成でも良い。【００１５】  図３での合成皮を素材にしたケース体は其の一部に合成樹脂素材を組み合わせての構成にしたデラックスなコイン収納部付定期券入れとして具現化するが、ケース体の構成は限定するものでなく、本発明での最大のポイントは、定期券入れの片面にコインの出し入れ出来るコイン収納部６を一体化し、これらに一列に並ぶコインＡは片手使いで、乗車時に定期券（例えば特別乗車証明書）を運転士に掲示し、其のカードを握った手の親指を使ってそのまま高齢者割引料金例えば一般料金２００円の半額１００円をワンタッチで支払いの出来るコイン収納部付定期券入れを具現化したことであるが、或いは地域のバス料金での１１０円等の設定割引料金などでは、図１で示す様に両サイドにコインＡの出入れ口５を設けることで、片方の出入れ口５に１０円のコインＡを差し込んでおく事で両サイドを使い、容易に１００円と１０円の料金を夫々片手操作で支払う事などして、効果的な利用が出来る。
【図面の簡単な説明】
【００１６】
【図１】本発明に係わる第一実施例での片面を示しての一部断面での斜視図である
【図２】本発明に係わる第一実施例での使用例を示す斜視図である
【図３】本発明に係わる第一実施例での両面の夫々使用例を示す斜視図である
【符合の説明】
【００１７】  Ａ  コイン
Ｂ  定期券
１  表板
２  裏板
２ａ底板
２ｂカバー
３  開口部
４  端縁部
５  出入れ口
６  コイン収納部
６ａスリット
【図１】
2008212614.tif 000003
【図２】
2008212614.tif 000004
【図３】
2008212614.tif 000005